(57)【要約】【課題】取得した画像を画面表示する際に当該画面表示される取得画像の判読性を向上させる。【解決手段】画像読取表示装置１は、画像読取部１０で読み取った画像を映像表示部１３に表示する際に、その読み取った画像に関する入力信号値を元にヒストグラムを画像処理部１１２で作成し、そのヒストグラムから算出される読み取った画像のコントラストと設定情報１１５１に予め設定された値とに応じ、表示制御部１１４が読み取った画像をそのまま映像表示部１３に表示する通常表示、読み取った画像を二値化処理して表示する処理又は照明装置１０１における照度の調整を行う処理を選択する。【選択図】図１
2007156968.tif 000002
【特許請求の範囲】
【請求項１】
画像取得手段により取得した画像を元に画面表示する画像読取表示装置において、
予め定められた基準値を元に前記取得した画像を二値化する二値化手段と
前記画像取得手段により画像を取得する際に取得対象を照らす照明光の強度を調整する調光手段と、
前記取得した画像のコントラストに応じて、前記二値化手段による画像の二値化及び／又は前記調光手段による取得対象を照らす照明光の調整のいずれかを選択する選択手段と、
前記選択手段により選択された処理の後の取得した画像を画面表示する表示制御手段と、
を備えることを特徴とする画像読取表示装置。
【請求項２】
前記選択手段は、前記調光手段により取得対象を照らす照明光の調整を行う際に、前記取得した画像のコントラストに応じて照明光の強度を調整することを特徴とする請求項１に記載の画像読取表示装置。
【請求項３】
前記画面表示する画像を光学像に変換して接眼光学系に投影し、この投影された光学像を当該接眼光学系が装着者の眼に導くことによって前記画面表示する画像を仮想表示する頭部装着型の表示手段を更に備えることを特徴とする請求項１又は２に記載の画像読取表示装置。
【発明の詳細な説明】
【技術分野】
【０００１】
本発明は、原稿などの対象物の画像を取得して当該取得画像を画面表示する画像読取表示装置に関する。
【背景技術】
【０００２】
従来から、新聞や本等の原稿をスキャナなどから読み取って入力し、その入力された画像を拡大やコントラスト調整等の画像処理を行ってＬＣＤ（Liquid  Crystal  Display）等のディスプレイ画面に表示することで、例えば弱視者などの利用者がその原稿を読み易くする読書装置がある。
【０００３】
例えば、特許文献１には、入力されるビデオ信号の輝度信号が基準電圧より大きい（明るい）場合はより明るく表示されるようにその輝度信号を増幅し、小さい場合（暗い）場合はより暗く表示されるように輝度信号を増幅する拡大表示読書装置において、基準電圧を可変にすることで、原稿の地色（背景）と文字の明るさの中間に容易に設定し、より高いコントラスト調整を行う技術が開示されている。
【特許文献１】登録実用新案第３００６８０９号公報
【発明の開示】
【発明が解決しようとする課題】
【０００４】
しかしながら、上述した従来からの読書装置では、原稿を照らす照明の明るさが暗い状況におけるノイズ増大や明るい状況におけるフレアの発生などにより、背景と文字とを区別するための明るさの基準値を中間へ設定してコントラストの調整を行うことが困難な場合があり、原稿を画面表示した際の判読性が低下する問題があった。
【０００５】
本発明の課題は、上記の従来技術における問題に鑑みてなされたものであって、取得した画像を画面表示する際に当該画面表示される取得画像の判読性を向上させることである。
【課題を解決するための手段】
【０００６】
上記課題を解決するために、請求項１に記載の発明は、画像取得手段により取得した画像を元に画面表示する画像読取表示装置において、予め定められた基準値を元に前記取得した画像を二値化する二値化手段と前記画像取得手段により画像を取得する際に取得対象を照らす照明光の強度を調整する調光手段と、前記取得した画像のコントラストに応じて、前記二値化手段による画像の二値化及び／又は前記調光手段による取得対象を照らす照明光の調整のいずれかを選択する選択手段と、前記選択手段により選択された処理の後の取得した画像を画面表示する表示制御手段と、を備えることを特徴とする。
【０００７】
請求項２に記載の発明は、請求項１に記載の発明において、前記選択手段は、前記調光手段により取得対象を照らす照明光の調整を行う際に、前記取得した画像のコントラストに応じて照明光の強度を調整することを特徴とする。
【０００８】
請求項３に記載の発明は、請求項１又は２に記載の発明において、前記画面表示する画像を光学像に変換して接眼光学系に投影し、この投影された光学像を当該接眼光学系が装着者の眼に導くことによって前記画面表示する画像を仮想表示する頭部装着型の表示手段を更に備えることを特徴とする。
【発明の効果】
【０００９】
請求項１に記載の発明によれば、取得した画像のコントラストに応じて画像の二値化及び／又は取得対象を照らす照明光の調整のいずれかを選択してコントラストを一定にすることができ、画面表示される取得した画像の判読性を向上させることができる。
【００１０】
請求項２に記載の発明によれば、取得した画像のコントラストに応じて取得対象に対する照明光の強度を調整することができるため、画面表示される取得した画像の判読に適した照明状態にすることができる。
【００１１】
請求項３に記載の発明によれば、頭部装着型の表示手段に取得した画像を表示し、その表示画像を利用者の眼に導くことができ、利用者は表示画面の方向を意識することなく取得した画像を閲覧することができる。
【発明を実施するための最良の形態】
【００１２】
以下、この発明の実施の形態について図１〜図７を参照して説明するが、この発明は、この実施の形態に限定しない。また、この発明の実施の形態は発明の最も好ましい形態を示すものであり、発明の用途や用語等はこれに限定するものではない。
【００１３】
図１は、本発明である画像読取表示装置１の機能的構成を模式的に示す図であり、図２は、画像読取表示装置１の外観を示す図であり、図３は、映像表示部１３とプリズム２４Ｒ部分の縦断面を示す図であり、図４は、画像読取表示装置１の動作を示すフローチャートであり、図５は、二値化画像処理を示すフローチャートであり、図６（ａ）は、読み取った画像が高コントラストな場合の画面出力を例示する図であり、図６（ｂ）は、読み取った画像が低コントラストな場合の画面出力を例示する図であり、図７（ａ）は、読み取った画像を二値化する際における画像信号の入出力値の関係を示すグラフであり、図７（ｂ）は、照明を点灯することによる読み取った画像の画像信号の変化を例示するグラフである。
【００１４】
先ず、画像読取表示装置１の構成について説明する。図１に示すように、画像読取表示装置１は、原稿を読み取る画像読取部１０、画像読取表示装置１の動作を制御するコントロールユニット１１、利用者からの操作指示を受け付ける操作部１２、利用者に画面表示する映像表示部１３及び画像読取表示装置１の駆動電力を供給する電源部１４を備えた構成である。
【００１５】
画像読取部１０は、ＣＣＤ（Charge-Coupled  Device）等の撮像素子によりコントロールユニット１１からの制御に応じて映像表示部１３に表示する原稿を読み取る。また、画像読取部１０は、コントロールユニット１１からの制御に応じた点灯や光量の調整が可能なＬＥＤ（Light  Emitting  Diode）やハロゲンランプなどである照明装置１０１を備え、原稿読取時における原稿の照明光の強度が調整可能な構成である。なお、照明装置１０１は、ＬＥＤやハロゲンランプなどにより光を照射する構成以外に、液晶シャッターなどにより原稿に照射される外光の強度を調整する構成であってもよい。
【００１６】
コントロールユニット１１は、特に図示しないＣＰＵ（Central  Processing  Unit）、ＲＡＭ（Random  Access  Memory）及びＲＯＭ（Read  Only  Memory）等であり、一次画像メモリ１１１、画像処理部１１２、二次画像メモリ１１３、表示制御部１１４及び記憶部１１５としての機能を実現する回路部である。具体的には、ＣＰＵがＲＯＭに格納された制御プログラムや設定データをＲＡＭの作業領域に展開して順次実行することで、上述した各機能部の実現や画像読取表示装置１の動作全般の統括制御を行う。
【００１７】
一次画像メモリ１１１は、画像読取部１０で読み込まれる画像データを一時的に格納するメモリである。画像処理部１１２は、表示制御部１１４からの指示に応じてその一次画像メモリ１１１に格納された画像データに対し、信号値のヒストグラム作成等の画像データ解析や予め設定された値に基づいた二値化処理、階調変換、色変換、鮮鋭性処理又は画像抽出等の各種画像処理を行って二次画像メモリ１１３に格納する。
【００１８】
表示制御部１１４は、記憶部１１５に格納された設定情報１１５１の内容や操作部１２から入力される操作指示に応じて、画像処理部１１２で行う画像処理の指示、画像読取部１０及び照明装置１０１の駆動制御、二次画像メモリ１１３に格納された画像データをビデオ信号等の所定の信号に変換して映像表示部１３へ出力して行う表示制御など、原稿の読取から表示に関する各種制御処理を行う。なお、設定情報１１５１は、予め設定された画像信号を処理する際の基準となる閾値などの値やその値を算出するための演算式と演算パラメータ等のデータである。
【００１９】
操作部１２は、電源キー、カーソルキー、各種機能キー等であり、押下されたキーに対応する信号をコントロールユニット１１に出力する。映像表示部１３は、後述する構成によりコントロールユニット１１から入力される画像信号に基づいた映像を利用者の眼に可視画像として表示する。
【００２０】
電源部１４は、外部から供給される商用電力や一次電池又は二次電池から供給される電力を変換し、その変換後の電力をコントロールユニット１１からの制御や電源キーの操作に応じて画像読取表示装置１の各部に供給する。なお、電源部１４は、外部からの商用電力により二次電池を充電する構成を備えても良い。
【００２１】
ここで、映像表示部１３により利用者の眼に画像を表示する構成について説明する。図２に示すように、画像読取表示装置１は、鼻当て２２、テンプル２３Ｒ、２３Ｌ及びプリズム２４Ｒ、２４Ｌを有する構成である。鼻当て２２は、利用者の鼻の付け根部分に載せるように装着する部材であり、プリズム２４Ｒ、２４Ｌに取り付けられ、これらを連結している。
【００２２】
テンプル２３Ｒ、２３Ｌは、利用者の側頭部の耳に掛けるように装着する部材であり、それぞれプリズム２４Ｒ、２４Ｌの鼻当て２２との連結と逆側の端部に取り付けられている。このため、利用者は、鼻当て２２を鼻にあて、テンプル２３Ｒ、２３Ｌを耳に掛けた場合、プリズム２４Ｒ、２４Ｌを利用者の眼前に固定的に配することができる。
【００２３】
なお、テンプル２３Ｒ、２３Ｌは、プリズム２４Ｒ、２４Ｌ近傍の部位に設けられた軸により、内側（鼻当て２２側）に折りたたみ可能な構成であってよい。また、プリズム２４Ｒ、２４Ｌは、平板状で透明なガラス又は樹脂等で作成されており、外界からの光をそのまま利用者の眼に導く構成であっても良いが、利用者の近視又は遠視等を矯正するように外界からの光を屈折する構成であってもよい。
【００２４】
プリズム２４Ｒの縁、例えば同図に示すように、装着時におけるプリズム２４Ｒの鉛直方向上側には、ケーブル２１によりコントロールユニット１１と電気的に接続する映像表示部１３が設けられている。このコントロールユニット１１から入力される画像信号に基づいた映像を投光する映像表示部１３とその映像を導光するプリズム２４Ｒにより、利用者は装着時に画像を虚像として認識することができる。
【００２５】
具体的には、図３に示すように、映像表示部１３とプリズム２４Ｒとは、ＬＣＤ１３１、筐体１３２、ＬＥＤ１３３、レンズ１３４、同一の透過部材であるプリズム２４Ｒ１、２４Ｒ３及びその接合面に形成されたホログラム素子２４Ｒ２よりなる。
【００２６】
透過型の液晶表示器であるＬＣＤ１３１（Liquid  Crystal  Display）は、コントロールユニット１１から入力される画像信号に応じて利用者の眼に表示するための映像を表示する。その表示した映像は、ＬＥＤ１３３から投光されてレンズ１３４を介することでＬＣＤ１３１の全面に均一に導かれた光により、プリズム２４Ｒ１の内部に導光される。筐体１３２は、その内部においてＬＣＤ１３１、ＬＥＤ１３３及びレンズ１３４を固定し、くさび状に形成されたプリズム２４Ｒ１の上端部を挟むようにプリズム２４Ｒに取り付けられる。
【００２７】
プリズム２４Ｒ１は、ＬＣＤ１３１から入射される光を内壁面で複数回全反射させながら、ホログラム素子２４Ｒ２に導く。ホログラム素子２４Ｒ２は、導かれた光を回折させて、平行光に近い光束としながら、眼Ｅに入射させる。
【００２８】
このホログラム素子２４Ｒ２は、映像表示部１３からの入射光の各色の回折効率を高くするようにＲＧＢ３色のレーザで２つの光束を干渉させて、その干渉縞をホログラム感材に記録する２光束干渉法により作成される。
【００２９】
なお、ホログラム感材としては、銀塩、重クロムゼラチンなどでもよいが、ドライプロセスで使用できるフォトポリマーが好ましい。また、感材の膜厚は、外界からの光を減衰しない程度、具体的には３０％以上の透過光量が確保できる５μｍ〜１００μｍ程度の膜厚で形成される。
【００３０】
このため、ホログラム素子２４Ｒ２は、映像表示部１３から照射された光に基づいてホログラムの波面再現機能により再現された映像を外界からの光にはほとんど作用せずに眼Ｅに導くことができ、外界からの光による像に重ねて映像表示部１３から投光された映像を虚像として利用者に観察させることができる。
【００３１】
次に、画像読取表示装置１のコントロールユニット１１が制御して行う動作について説明する。図４に示すように、コントロールユニット１１は、画像読取部１０を駆動して原稿を撮像し（ステップＳ１１）、その撮像により一次画像メモリ１１１に格納された画像データにおける各画素の入力信号値を順次取得し（ステップＳ１２）、その取得した入力信号値に基づいたヒストグラム（度数分布）データを作成する（ステップＳ１３）。
【００３２】
次いで、文字と背景とを区別するための閾値Ｔｈｅｒｅ１が設定情報１１５１から取得され（ステップＳ１４）、作成されたヒストグラムデータを元に入力信号値における０〜閾値Ｔｈｅｒｅ１間の最頻値ＩｎＬが取得され（ステップＳ１５）、同様にヒストグラムデータを元に閾値Ｔｈｅｒｅ１〜最大値間の最頻値ＩｎＨが取得されて（ステップＳ１６）、その取得された最頻値ＩｎＬ、ＩｎＨに基づいて入力コントラスト値ＣＩｎが算出される（ステップＳ１７）。この入力コントラスト値ＣＩｎは、文字と背景との明暗差（明暗比）を示す値であり、具体的には最頻値ＩｎＨ／最頻値ＩｎＬなどの演算で算出される。
【００３３】
入力信号値の状態と出力画像との関係については、図６に示すとおりである。最頻値ＩｎＬと最頻値ＩｎＨとの差が十分ある場合は、図６（ａ）に示すように、入力信号に対する出力特性を示す曲線Ｋによる出力明度ＯｕＬ、ＯｕＨの差も十分に確保することができ、黒地の文字部分と白地の背景部分との差が明確な表示画面Ｇが映像表示部１３に表示される。しかし、最頻値ＩｎＬと最頻値ＩｎＨとの差が十分にない場合は、図６（ｂ）に示すように、文字と背景との差が不明確な表示画面Ｇが映像表示部１３に表示される。
【００３４】
次いで、その入力コントラスト値ＣＩｎと比較する基準値であり、文字等が見易い程度にコントラストが高い状態を区別する閾値ＴｈｅｒｅＣＨ及び文字部分の信号値と背景部分の信号値とのコントラスト差が低く所定の閾値による二値化が困難な状態を区別する閾値ＴｈｅｒｅＣＬが設定情報１１５１から取得される（ステップＳ１８）。
【００３５】
次いで、入力コントラスト値ＣＩｎが前述したＨｉ側の閾値ＴｈｅｒｅＣＨ以上であるか否かが判定され（ステップＳ１９）、閾値ＴｈｅｒｅＣＨ以上であると判定された場合、つまり、入力信号値における文字と背景とのコントラスト差が十分にあると判定された場合は、一次画像メモリ１１１に格納された画像データが画像処理部１１２で二値化処理を行わずに二次画像メモリ１１３に格納され、その格納された画像データに基づいて映像表示部１３への画像表示を行う通常の画面表示が行われる（ステップＳ２０）。
【００３６】
ステップＳ１９において入力コントラスト値ＣＩｎが閾値ＴｈｅｒｅＣＨ未満である判定された場合は、入力コントラスト値ＣＩｎが前述したＬｏｗ側の閾値ＴｈｅｒｅＣＬ以上であるか否かが判定され（ステップＳ２１）、閾値ＴｈｅｒｅＣＬ以上であると判定された場合、つまり、文字等が見易い程度のコントラスト差はないが文字部分の信号値と背景部分の信号値は所定の閾値で区別することが可能な程度のコントラスト差があると判定された場合は、二値化画像表示処理が行われる（ステップＳ２２）。
【００３７】
二値化画像表示処理では、図５に示すように、設定情報１１５１から閾値Ｔｈｅｒｅ２が取得され（ステップＳ２２１）、その取得された閾値Ｔｈｅｒｅ２と一次画像メモリ１１１に格納された画像データの各画素における入力信号値との比較により当該入力信号値が二値化されて二値化後の画像データとして二次画像メモリ１１３に格納され（ステップＳ２２２）、映像表示部１３においてその格納された画像データに基づいた二値化後の画像表示が行われて（ステップＳ２２３）、終了する。
【００３８】
この二値化画像表示処理により、図７（ａ）に示すように、閾値Ｔｈｅｒｅ２を基準に最頻値ＩｎＬ側の入力信号値と最頻値ＩｎＨ側の入力信号値とが二値化され、その出力明度は文字等が見易い程度のコントラスト差がある出力明度ＯｕＬ１と出力明度ＯｕＬ２となる。
【００３９】
ステップＳ２１において入力コントラスト値ＣＩｎが閾値ＴｈｅｒｅＣＬ未満であると判定された場合は、照明装置１０１における照度が最大であるか否かが判定され（ステップＳ２３）、最大であると判定された場合は、画像読取部１０で読み取る原稿を文字や背景が識別可能である適正な画像として映像表示部１３に表示することができない等のエラー表示が行われ（ステップＳ２４）、終了する。
【００４０】
なお、ステップＳ２５で照明装置１０１における照度が最大でないと判定された場合は、照明装置１０１の照度設定を一段階上げるように設定されて（ステップＳ２５）、ステップＳ１１へ戻る。
【００４１】
この照明装置１０１における照度を一段階上げる設定により、例えば無点灯の状態から点灯状態に移行することで、図７（ｂ）に示すように、照度が足りないため文字部分と背景部分の入力信号値に差がない状態を解消することができる。
【００４２】
また、照明装置１０１にＬＥＤなどの発光素子を用いる場合は、ステップＳ１１〜Ｓ２３までの一連の処理とステップＳ２５からステップＳ１１に戻る構成により、処理の開始時に照明を点灯しない状態から最大に点灯する状態までの間で、映像表示部１３において文字と背景とを容易に区別して表示する最小照度の点灯状態とすることができ、照明装置１０１における消費電力を抑えることができる。
【００４３】
なお、上述した動作処理では、原稿を照らす照明の明るさが暗い状態から明るい状態へ遷移する構成であるが、逆に、明るい状態から暗い状態へ遷移する構成であっても良い。この場合は、上述した動作処理において、閾値ＴｈｅｒｅＣＬがフレアにより所定の閾値による二値化が困難な状態を区別する値に変更し、ステップＳ２５における処理が照明装置１０１の照度設定を一段階下げる処理に変更することで実現される。
【００４４】
以上のように、画像読取表示装置１は、画像読取部１０で読み取った画像を映像表示部１３に表示する際に、その読み取った画像に関する入力信号値を元にヒストグラムを画像処理部１１２で作成し、そのヒストグラムから算出される読み取った画像のコントラストと設定情報１１５１に予め設定された値とに応じ、表示制御部１１４が読み取った画像をそのまま映像表示部１３に表示する通常表示、読み取った画像を二値化処理して表示する処理又は照明装置１０１における照度の調整を行う処理を選択する。
【００４５】
このため、画像読取表示装置１は、原稿を読み取る際に照明の明るさが暗い状況におけるノイズ増大や明るい状況におけるフレアの発生などを抑えるとともに、二値化処理を適宜行うことで映像表示部１３に表示する画像のコントラストを一定にすることができるため、読み取った原稿をより利用者が読みやすく表示することができる。
【００４６】
また、画像読取表示装置１は、読み取った画像のコントラストに応じて段階的に照明装置１０１における照明の強さを調整する構成であるため、文字と背景とを容易に区別して表示する最小照度の点灯状態とすることができ、照明装置１０１における消費電力を抑えることができる。
【００４７】
また、映像表示部１３は、鼻当て２２とテンプル２３Ｌ、２３Ｒとにより利用者の頭部に装着した際のプリズム２４Ｒに設けられ、表示画像を利用者の眼に導く構成であるため、利用者は表示画面の方向を意識することなく、読み取った原稿を閲覧することができる。
【００４８】
なお、本実施の形態における記述は、本発明の一例を示すものであり、これに限定しない。本実施の形態における画像読取表示装置１の細部構成及び細部動作に関しては、本発明の趣旨を逸脱しない範囲で適宜変更が可能である。
【００４９】
例えば、本実施の形態では、画像取得手段は画像読取部１０であり、当該画像読取部１０で取得対象である原稿を読み取ることで表示する画像を取得する構成を示したが、画像読取部１０はデジタルカメラなどであってよく、取得対象も原稿以外に駅の時刻表、交通標識等の掲示物や屋内外の風景などであってよく、特に限定するものではない。
【００５０】
また、本実施の形態では、映像表示部１３は利用者の頭部に装着してその利用者の眼に可視画像を表示する構成であるが、単なるＣＲＴ（Cathode-Ray  Tube）やＬＣＤなどのディスプレイであってもよい。
【００５１】
また、本実施例中における値は入力信号値を元に可変に設定してよい。文字部分と背景部分とを判別するための閾値Ｔｈｅｒｅ１や画像を二値化するための閾値Ｔｈｅｒｅ２などは、設定情報１１５１に格納された値以外に、ステップＳ１３で作成されたヒストグラムデータ等を元に入力信号値に応じて可変に設定してもよい。
【００５２】
また、上記閾値の具体的な設定については、ヒストグラムデータを元に文字と背景との割合が既知であり文字部分の累積出現頻度が既知の割合になる明度を閾値とするＰタイル法、ヒストグラムが双峰形の場合であり凹部分の極小値を閾値とするモード法又はヒストグラムを統計的に解析して閾値を決定する判別分析法であり、ある閾値で入力信号値をクラス分けし、そのクラス内分散とクラス間分散を統計演算してクラス内分散が最小でありクラス間分散が最大となる閾値に決定するなどの方法を用いてよい。
【００５３】
また、図４、図５に示した動作処理は、入力信号値とそれに対応する閾値とを元に判定する構成であるが、図６、図７に示した入力信号値に対する出力特性を示す曲線Ｋを元に映像表示部１３における出力値を予め算出し、その出力値とそれに対応する閾値とを元に判定する構成であっても良い。
【図面の簡単な説明】
【００５４】
【図１】本発明である画像読取表示装置１の機能的構成を模式的に示すブロック図である。
【図２】画像読取表示装置１の外観を示す図である。
【図３】映像表示部１３とプリズム２４Ｒ部分の縦断面を示す図である。
【図４】画像読取表示装置１の動作を示すフローチャートである。
【図５】画像読取表示装置１における二値化画像処理を示すフローチャートである。
【図６】（ａ）は、読み取った画像が高コントラストな場合の画面出力を例示する図であり、（ｂ）は、読み取った画像が低コントラストな場合の画面出力を例示する図である。
【図７】（ａ）は、読み取った画像を二値化する際における画像信号の入出力値の関係を示すグラフであり、（ｂ）は、照明を点灯することによる読み取った画像の画像信号の変化を例示するグラフである。
【符号の説明】
【００５５】
１  画像読取表示装置
１０  画像読取部（画像取得手段）
１１  コントロールユニット
１２  操作部
１３  映像表示部（表示手段）
１４  電源部
２１  ケーブル
２２  鼻当て
２３Ｒ、２３Ｌ  テンプル
２４Ｒ、２４Ｌ、２４Ｒ１、２４Ｒ３、  プリズム
２４Ｒ２  ホログラム素子
１０１  照明装置（調光手段）
１１１  一次画像メモリ
１１２  画像処理部（二値化手段）
１１３  二次画像メモリ
１１４  表示制御部（選択手段、表示制御手段）
１１５  記憶部
１３１  ＬＣＤ
１３２  筐体
１３３  ＬＥＤ
１３４  レンズ
１１５１  設定情報
ＣＩｎ  入力コントラスト値
Ｅ  眼
Ｇ  表示画面
ＩｎＬ、ＩｎＨ  最頻値
ＯｕＨ、ＯｕＨ２、ＯｕＬ、ＯｕＬ１、ＯｕＬ２  出力明度
Ｋ  曲線
Ｔｈｅｒｅ１、Ｔｈｅｒｅ２、ＴｈｅｒｅＣＬ、ＴｈｅｒｅＣｈ  閾値
【図１】
2007156968.tif 000003
【図２】
2007156968.tif 000004
【図３】
2007156968.tif 000005
【図４】
2007156968.tif 000006
【図５】
2007156968.tif 000007
【図６】
2007156968.tif 000008
【図７】
2007156968.tif 000009